(57)【特許請求の範囲】
【請求項１】
トナーを収容して回転軸線の周りを回転する容器本体と、
前記容器本体の外周面に装着され、前記容器本体に回転駆動力を伝達する伝達部材と、
前記容器本体に設けられる開口部を覆うカバーと、を備え、
前記容器本体は、
前記容器本体に対する前記伝達部材の回転を規制するための回転規制部と、
前記容器本体に対する前記伝達部材の前記回転軸線方向の移動を規制するための移動規制部と、を備え、
前記伝達部材は、前記カバーと前記移動規制部の間に挟み込まれており、
前記回転規制部は、第１回転規制部と、前記回転軸線を挟んで前記第１回転規制部の反対側に設けられる第２回転規制部と、を含むように複数設けられ、
前記移動規制部は、第１移動規制部と、前記回転軸線を挟んで前記第１移動規制部の反対側に設けられる第２移動規制部と、を含むように複数設けられ、
前記各回転規制部と前記各移動規制部は、周方向の位置が重ならないように配置されていることを特徴とするトナー容器。
【請求項２】
前記回転規制部は、前記容器本体の外周面に設けられる係合突起であり、
前記伝達部材の内周面には、周方向に間隔をおいて少なくとも１組の係合リブが設けられ、前記１組の係合リブの間隔に前記係合突起が挿入されることを特徴とする請求項１に記載のトナー容器。
【請求項３】
前記容器本体の内周面には、前記容器本体の回転に伴って前記容器本体内のトナーを搬送する螺旋状の搬送リブが設けられ、前記搬送リブには、螺旋方向に間隔をおいて複数の補強部が設けられ、前記複数の補強部は、基準直線に沿って配置され、
前記回転規制部は、前記回転軸線及び前記基準直線を含む平面上に配置されていることを特徴とする請求項１又は２に記載のトナー容器。
【請求項４】
前記移動規制部は、前記容器本体の外周面に設けられる突起部であることを特徴とする請求項１〜３のいずれか１項に記載のトナー容器。
【請求項５】
前記伝達部材の外周面には、駆動源からの回転駆動力によって回転する駆動ギアに接続される伝達ギアが設けられていることを特徴とする請求項１〜４のいずれか１項に記載のトナー容器。
【請求項６】
前記カバーは、前記容器本体及び前記伝達部材の回転時に回転停止状態を保持することを特徴とする請求項１〜５のいずれか１項に記載のトナー容器。
【請求項７】
請求項１〜６のいずれか１項に記載のトナー容器と、
前記トナー容器が装着される装着部と、を備えていることを特徴とする画像形成装置。
【発明の詳細な説明】
【技術分野】
【０００１】
本発明は、トナー容器及びこのトナー容器を備えた画像形成装置に関する。
【背景技術】
【０００２】
従来、電子写真方式の画像形成装置は、像担持体（例えば、感光体ドラム）の表面に形成された静電潜像に現像器からトナーを供給することで、現像処理を行っている。このような現像処理に用いられるトナーは、トナー容器から現像器に供給されている。上記トナー容器は、例えば、トナーを収容して回転軸線の周りを回転する容器本体を備えている（特許文献１参照）。
【先行技術文献】
【特許文献】
【０００３】
【特許文献１】特開平９−１９７７８３号公報
【発明の概要】
【発明が解決しようとする課題】
【０００４】
上記のような構成のトナー容器では、容器本体に回転駆動力を伝達する伝達部材が容器本体の外周面に装着される場合がある。このような場合に、伝達部材から容器本体に回転駆動力を確実に伝達するためには、容器本体に対する伝達部材の回転及び回転軸線方向の移動を規制する必要がある。しかしながら、容器本体に対する伝達部材の回転及び回転軸線方向の移動を規制するための専用の部品を追加すると、トナー容器の構成が複雑化し、トナー容器の製造コストの上昇を招く恐れがある。
【０００５】
そこで、本発明は上記事情を考慮し、トナー容器の構成の複雑化を回避しつつ、容器本体に対する伝達部材の回転及び回転軸線方向の移動を規制することを目的とする。
【課題を解決するための手段】
【０００６】
本発明のトナー容器は、トナーを収容して回転軸線の周りを回転する容器本体と、前記容器本体の外周面に装着され、前記容器本体に回転駆動力を伝達する伝達部材と、前記容器本体に設けられる開口部を覆うカバーと、を備え、前記容器本体は、前記容器本体に対する前記伝達部材の回転を規制するための回転規制部と、前記容器本体に対する前記伝達部材の前記回転軸線方向の移動を規制するための移動規制部と、を備え、前記伝達部材は、前記カバーと前記移動規制部の間に挟み込まれていることを特徴とする。
【０００７】
上記のように回転規制部及び移動規制部を設けることで、容器本体に対する伝達部材の回転及び回転軸線方向の移動を規制することが可能となり、伝達部材から容器本体に回転駆動力を確実に伝達することが可能となる。また、回転規制部及び移動規制部を容器本体に設けているため、容器本体に対する伝達部材の回転及び回転軸線方向の移動を規制するための専用の部品を追加する必要が無い。そのため、トナー容器の構成の複雑化を回避し、トナー容器の製造コストの上昇を抑制することが可能となる。また、伝達部材がカバーと移動規制部の間に挟み込まれているため、容器本体に対する伝達部材の回転軸線方向の移動を確実に規制することができる。
【０００８】
前記回転規制部は、前記容器本体の外周面に設けられる係合突起であり、前記伝達部材の内周面には、周方向に間隔をおいて少なくとも１組の係合リブが設けられ、前記１組の係合リブの間隔に前記係合突起が挿入されても良い。
【０００９】
このような構成を採用することで、簡易な構成によって容器本体に対する伝達部材の回転を規制することが可能となる。
【００１０】
前記容器本体の内周面には、前記容器本体の回転に伴って前記容器本体内のトナーを搬送する螺旋状の搬送リブが設けられ、前記搬送リブには、螺旋方向に間隔をおいて複数の補強部が設けられ、前記複数の補強部は、基準直線に沿って配置され、前記回転規制部は、前記回転軸線及び前記基準直線を含む平面上に配置されていても良い。
【００１１】
このような構成を採用することで、回転規制部を容易に見つけることが可能となり、容器本体に対して伝達部材を組み付ける作業の容易化を図ることができる。
【００１２】
前記移動規制部は、前記容器本体の外周面に設けられる突起部であっても良い。
【００１３】
このような構成を採用することで、簡易な構成によって容器本体に対する伝達部材の回転軸線方向の移動を規制することができると共に、容器本体からの伝達部材の脱落を防止することができる。
【００１４】
前記移動規制部は、前記容器本体の外周面に形成される段差部であっても良い。
【００１５】
このような構成を採用することで、簡易な構成によって容器本体に対する伝達部材の回転軸線方向の移動を規制することができると共に、容器本体からの伝達部材の脱落を防止することができる。
【００１６】
前記回転規制部は、第１回転規制部と、前記回転軸線を挟んで前記第１回転規制部の反対側に設けられる第２回転規制部と、を含むように複数設けられ、前記移動規制部は、第１移動規制部と、前記回転軸線を挟んで前記第１移動規制部の反対側に設けられる第２移動規制部と、を含むように複数設けられ、前記各回転規制部と前記各移動規制部は、周方向の位置が重ならないように配置されていても良い。
【００１７】
このような構成を採用することで、各回転規制部と各移動規制部の干渉を回避しつつ、容器本体に対する伝達部材の回転及び回転軸線方向の移動を確実に規制することが可能となる。
【００１８】
前記伝達部材の外周面には、駆動源からの回転駆動力によって回転する駆動ギアに接続される伝達ギアが設けられていても良い。
【００１９】
このような構成を採用することで、簡易な構成によって伝達部材を回転させることが可能となる。
【００２０】
前記カバーは、前記容器本体及び前記伝達部材の回転時に回転停止状態を保持しても良い。
【００２１】
本発明の画像形成装置は、上記いずれかのトナー容器と、前記トナー容器が装着される装着部と、を備えていることを特徴とする。
【発明の効果】
【００２２】
本発明によれば、トナー容器の構成の複雑化を回避しつつ、容器本体に対する伝達部材の回転及び回転軸線方向の移動を規制することが可能となる。
【図面の簡単な説明】
【００２３】
【図１】本発明の一実施形態に係る複合機の構成の概略を示す模式図である。
【図２】本発明の一実施形態に係るブラックのトナーコンテナと各トナー補給用装着部を示す斜視図である。
【図３】本発明の一実施形態に係るブラックのトナーコンテナを示す断面図である。
【図４】本発明の一実施形態に係るブラックのトナーコンテナの後部を示す断面図である。
【図５】本発明の一実施形態に係るブラックのトナーコンテナを示す左前方からの斜視図である。
【図６】本発明の一実施形態に係るブラックのトナーコンテナを示す右前方からの斜視図である。
【図７】図３のＶＩＩ−ＶＩＩ断面図である。
【図８】本発明の一実施形態に係るブラックのトナーコンテナを示す分解斜視図である。
【図９】本発明の一実施形態に係るブラックのトナーコンテナの容器本体及び撹拌部材を示す斜視図である。
【図１０】本発明の一実施形態に係るブラックのトナーコンテナを示す背面図である。
【図１１Ａ】本発明の一実施形態に係るブラックのトナーコンテナにおいて、第１レバーが第１位置にある状態を示す側面図である。
【図１１Ｂ】本発明の一実施形態に係るブラックのトナーコンテナにおいて、第１レバーが第２位置にある状態を示す側面図である。
【図１２Ａ】本発明の一実施形態に係るブラックのトナーコンテナにおいて、第２レバーが第３位置にある状態を示す側面図である。
【図１２Ｂ】本発明の一実施形態に係るブラックのトナーコンテナにおいて、第２レバーが第４位置にある状態を示す側面図である。
【図１３】本発明の一実施形態に係るシアンのトナーコンテナを示す断面図である。
【図１４】本発明の一実施形態に係るシアンのトナーコンテナの後部を示す斜視図である。
【図１５】本発明の一実施形態に係る第１アクチュエーターを示す斜視図である。
【図１６】本発明の一実施形態に係る各トナー補給用装着部の後部を示す斜視図である。
【図１７】本発明の一実施形態に係るブラックのトナー補給用装着部の装着部側シャッターを示す斜視図である。
【図１８】本発明の一実施形態に係る各トナーコンテナの後部及び各トナー補給用装着部の後部を示す斜視図である。
【図１９】本発明の一実施形態に係る廃トナーボトルを示す断面図である。
【図２０】本発明の一実施形態に係る廃トナー回収用装着部を示す側面図である。
【図２１】本発明の一実施形態に係る複合機において、ブラックのトナーコンテナがブラックのトナー補給用装着部の所定位置まで挿入された状態を示す断面図である。
【図２２】本発明の一実施形態に係る複合機において、ブラックのトナーコンテナがブラックのトナー補給用装着部に装着された状態を示す断面図である。
【図２３】本発明の一実施形態に係る複合機において、廃トナーボトルが廃トナー回収用装着部に装着された状態を示す断面図である。
【図２４Ａ】本発明の一実施形態に係る複合機において、トナー容器が廃トナー回収用装着部の所定位置まで挿入された状態を示す平面図である。
【図２４Ｂ】本発明の一実施形態に係る複合機において、トナー容器が廃トナー回収用装着部に装着された状態を示す平面図である。
【図２５Ａ】本発明の一実施形態に係る複合機において、第１レバーが第１位置にある状態でトナー容器がブラックのトナー補給用装着部の所定位置まで挿入された場合を示す斜視図である。
【図２５Ｂ】本発明の一実施形態に係る複合機において、第１レバーが第２位置にある状態でトナー容器がブラックのトナー補給用装着部の所定位置まで挿入された場合を示す斜視図である。
【図２６Ａ】本発明の一実施形態に係る複合機において、トナー容器がブラックのトナー補給用装着部の所定位置まで挿入された状態を示す平面図である。
【図２６Ｂ】本発明の一実施形態に係る複合機において、トナー容器がブラックのトナー補給用装着部に装着された状態を示す平面図である。
【図２７Ａ】本発明の一実施形態に係る複合機において、第２レバーが第４位置にある状態でトナー容器が廃トナー回収用装着部の所定位置まで挿入された場合を示す側面図である。
【図２７Ｂ】本発明の一実施形態に係る複合機において、第２レバーが第３位置にある状態でトナー容器が廃トナー回収用装着部の所定位置まで挿入された場合を示す側面図である。
【図２８】本発明の一実施形態に係る複合機において、ブラックのトナーコンテナの容器本体の各指置き部に作業者が指を置いた状態を示す断面図である。
【発明を実施するための形態】
【００２４】
以下、図面を参照しつつ、本発明の一実施形態に係る複合機１（画像形成装置）について説明する。各図に適宜付される矢印Ｆｒ、Ｒｒ、Ｌ、Ｒ、Ｕ、Ｌｏは、それぞれ複合機１の前側、後側、左側、右側、上側、下側を示している。
【００２５】
まず、複合機１の構成の概略について説明する。
【００２６】
図１に示されるように、複合機１は、箱型形状の複合機本体２（装置本体）を備えている。複合機本体２の上端部には、原稿画像を読み取るための画像読取装置３が設けられている。複合機本体２の上部には、画像読取装置３の下側に排紙トレイ４が設けられている。
【００２７】
複合機本体２の略中央部には、中間転写ベルト５が収容されている。中間転写ベルト５の左端側には、クリーニング機構６が設けられている。
【００２８】
複合機本体２の略中央部には、中間転写ベルト５の下側に４個の画像形成部７Ｋ、７Ｃ、７Ｍ、７Ｙが収容されている。４個の画像形成部７Ｋ、７Ｃ、７Ｍ、７Ｙは、それぞれ、ブラック、シアン、マゼンタ、イエローのトナーに対応している。各画像形成部７Ｋ、７Ｃ、７Ｍ、７Ｙは、感光体ドラム８（像担持体）と、帯電器９と、現像器１０と、一次転写ローラー１１と、クリーニング装置１２と、を備えている。一次転写ローラー１１は、感光体ドラム８との間に中間転写ベルト５を挟み込んでおり、中間転写ベルト５と感光体ドラム８の間には一次転写ニップＮ１が形成されている。
【００２９】
複合機本体２の下部には、４個の画像形成部７Ｋ、７Ｃ、７Ｍ、７Ｙの下側に露光装置１３が収容されている。複合機本体２の下端部には、露光装置１３の下側に給紙カセット１４が収容されている。給紙カセット１４には、用紙Ｓ（記録媒体）が収納されている。
【００３０】
複合機本体２の右側部には、用紙Ｓの搬送経路１５が設けられている。搬送経路１５の下端部（上流端部）には、給紙部１６が設けられている。搬送経路１５の中流部には、二次転写ローラー１７が設けられている。二次転写ローラー１７と中間転写ベルト５の間には、二次転写ニップＮ２が形成されている。搬送経路１５の上部（下流部）には、定着装置１８が設けられている。搬送経路１５の上端部（下流端部）には、排紙ユニット１９が設けられている。
【００３１】
複合機本体２の上部には、排紙トレイ４の下側に、４個のトナーコンテナ２１Ｋ、２１Ｃ、２１Ｍ、２１Ｙ（トナー容器）が収容されている。各トナーコンテナ２１Ｋ、２１Ｃ、２１Ｍ、２１Ｙは、それぞれ、ブラック、シアン、マゼンタ、イエローのトナーを収容している。各トナーコンテナ２１Ｋ、２１Ｃ、２１Ｍ、２１Ｙは、それぞれ、トナー補給用装着部２２Ｋ、２２Ｃ、２２Ｍ、２２Ｙに着脱可能に装着されている。複合機本体２の左端部には、廃トナーボトル２３（トナー容器）が収容されている。廃トナーボトル２３は、廃トナーを収容している。廃トナーボトル２３は、廃トナー回収用装着部２４に着脱可能に装着されている。
【００３２】
次に、このような構成を備えた複合機１の動作について説明する。
【００３３】
複合機１に対して印刷開始の指示がなされると、以下のようにして画像形成動作が行われる。まず、帯電器９が感光体ドラム８の表面を帯電させる。次に、露光装置１３からの光（図１の矢印Ｐ参照）によって、感光体ドラム８の表面に静電潜像が形成される。次に、各トナーコンテナ２１Ｋ、２１Ｃ、２１Ｍ、２１Ｙから補給されるトナーを現像器１０が感光体ドラム８に供給することで、感光体ドラム８の表面に形成された静電潜像が現像され、感光体ドラム８にトナー像が担持される。このトナー像は、一次転写ニップＮ１において中間転写ベルト５の表面に一次転写される。以上のような動作が各画像形成部７Ｋ、７Ｃ、７Ｍ、７Ｙにおいて行われることで、中間転写ベルト５上にフルカラーのトナー像が形成される。なお、画像形成動作の終了後に感光体ドラム８の表面に残留した廃トナーは、クリーニング装置１２によって回収される。
【００３４】
また、給紙部１６によって給紙カセット１４から取り出された用紙Ｓは、搬送経路１５を下流側へと搬送されて、二次転写ニップＮ２に進入する。この二次転写ニップＮ２において、中間転写ベルト５上に形成されたフルカラーのトナー像が用紙Ｓに二次転写される。なお、二次転写の終了後に中間転写ベルト５の表面に残留した廃トナーは、クリーニング機構６によって回収される。
【００３５】
トナー像を二次転写された用紙Ｓは、搬送経路１５を更に下流側へと搬送されて、定着装置１８に進入する。この定着装置１８において、用紙Ｓにトナー像が定着される。トナー像が定着された用紙Ｓは、排紙ユニット１９によって排紙トレイ４上に排出される。
【００３６】
次に、各トナーコンテナ２１Ｋ、２１Ｃ、２１Ｍ、２１Ｙについて、更に説明する。なお、図２以降の各図に適宜付される矢印Ｉは各トナーコンテナ２１Ｋ、２１Ｃ、２１Ｍ、２１Ｙの前後方向内側を示し、図２以降の各図に適宜付される矢印Ｏは各トナーコンテナ２１Ｋ、２１Ｃ、２１Ｍ、２１Ｙの前後方向外側を示している。
【００３７】
図２に示されるように、各トナーコンテナ２１Ｋ、２１Ｃ、２１Ｍ、２１Ｙは、前側から後側に向かう装着方向Ｘに沿って各トナー補給用装着部２２Ｋ、２２Ｃ、２２Ｍ、２２Ｙに装着されている。以下、単に「装着方向手前側」又は「装着方向奥側」と記載する場合には、装着方向Ｘにおける手前側又は奥側を指すものとする。なお、図２では、トナーコンテナ２１Ｋのみが装着途中の状態で示され、トナーコンテナ２１Ｃ、２１Ｍ、２１Ｙは装着が完了した状態で示されている。
【００３８】
まず、トナーコンテナ２１Ｋ（ブラックのトナーコンテナ）について説明する。
【００３９】
図３、図４等に示されるように、トナーコンテナ２１Ｋは、容器本体２５と、容器本体２５の後部に装着される伝達部材２６と、伝達部材２６の後側に設けられるカバー２７と、カバー２７の略中央部に収容されるシール部材２８と、容器本体２５の後端部に固定される撹拌部材２９と、を備えている。以下、これらの部材について順番に説明する。
【００４０】
まず、トナーコンテナ２１Ｋの容器本体２５について説明する。
【００４１】
図３等に示されるように、容器本体２５は、前後方向に長い円筒状を成している。つまり、本実施形態では、前後方向が容器本体２５の長手方向である。容器本体２５は、前後方向に延びる回転軸線Ｙの周りを回転するように構成されている。つまり、本実施形態では、前後方向が容器本体２５の回転軸線方向である。
【００４２】
容器本体２５の内部には、トナー収容空間Ｐが形成されている。トナー収容空間Ｐには、ブラックのトナー（図示せず）が収容されている。なお、図３、図４の矢印Ｚは、トナー収容空間Ｐ内におけるトナーの搬送方向（以下、「トナー搬送方向Ｚ」と称する）を示している。以下、単に「トナー搬送方向上流側」又は「トナー搬送方向下流側」と記載する場合には、トナー搬送方向Ｚにおける上流側又は下流側を指すものとする。
【００４３】
図３等に示されるように、容器本体２５は、取っ手部３１と、取っ手部３１の後側（トナー搬送方向下流側）に設けられる大径筒部３２と、大径筒部３２の後側（トナー搬送方向下流側）に設けられる中径筒部３３と、中径筒部３３の後側（トナー搬送方向下流側）に設けられる小径筒部３４と、を備えている。
【００４４】
容器本体２５の取っ手部３１は、容器本体２５の前端部（装着方向手前側の端部）に設けられている。取っ手部３１は、容器本体２５の各部の中で最も外径が小さい。取っ手部３１の内部空間は、大径筒部３２の内部空間と連通しており、トナー収容空間Ｐの一部を成している。取っ手部３１は、装着方向Ｘに沿って延びる筒状部３５と、筒状部３５の前端部（装着方向手前側の端部）を閉止する閉止部３６と、を備えている。筒状部３５は、回転軸線Ｙを中心とする円筒状を成している。筒状部３５は、前側（装着方向手前側）に向かって拡径している。閉止部３６は、円板状を成している。
【００４５】
容器本体２５の大径筒部３２と中径筒部３３と小径筒部３４は、回転軸線Ｙを中心とする円筒状を成している。中径筒部３３は、大径筒部３２と小径筒部３４の間に設けられている。中径筒部３３の外径Ｒ２は、大径筒部３２の外径Ｒ１よりも小さく、小径筒部３４の外径Ｒ３よりも大きい。中径筒部３３の前後方向の長さは、大径筒部３２の前後方向の長さよりも短く、小径筒部３４の前後方向の長さよりも長い。
【００４６】
容器本体２５の外周面には、大径筒部３２と中径筒部３３の間に略円環状の第１段差部３７が形成され、中径筒部３３と小径筒部３４の間に螺旋状の第２段差部３８が形成されている。第１段差部３７の段の大きさ（即ち、大径筒部３２の外径Ｒ１と中径筒部３３の外径Ｒ２の差）は、第２段差部３８の段の大きさ（即ち、中径筒部３３の外径Ｒ２と小径筒部３４の外径Ｒ３の差）よりも小さい。
【００４７】
容器本体２５の大径筒部３２と中径筒部３３と小径筒部３４の内周面には、１本の螺旋状の搬送リブ３９が連続的に設けられている。搬送リブ３９は、容器本体２５の内周面から径方向内側に向かって略Ｖ字状に突出している。
【００４８】
図５、図６等に示されるように、容器本体２５の搬送リブ３９には、螺旋方向に間隔をおいて複数の第１補強部４１及び複数の第２補強部４２が設けられている。各第１補強部４１と各第２補強部４２は、搬送リブ３９の螺旋方向において交互に設けられている。各第１補強部４１及び各第２補強部４２は、搬送リブ３９から径方向外側に向かって略Ｖ字状に突出している。各第１補強部４１は、装着方向Ｘに沿って延びる第１基準直線ＳＬ１に沿って設けられ、各第２補強部４２は、装着方向Ｘに沿って延びる第２基準直線ＳＬ２に沿って設けられている。図７に示されるように、第２基準直線ＳＬ２は、回転軸線Ｙを挟んで第１基準直線ＳＬ１の反対側に設けられている。
【００４９】
図５、図６等に示されるように、容器本体２５の大径筒部３２の外周面の前部（容器本体２５全体の外周面の装着方向手前側の部分）には、第１基準直線ＳＬ１に沿って第１指置き部４３が設けられると共に、第２基準直線ＳＬ２に沿って第２指置き部４４が設けられている。第１、第２指置き部４３、４４は、トナー補給用装着部２２Ｋにトナーコンテナ２１Ｋを装着する作業者が指を置くためのものである。第１、第２指置き部４３、４４は、円形状の溝によって構成されている。第１、第２指置き部４３、４４は、搬送リブ３９と重ならないように配置されている。
【００５０】
図５、図６等に示されるように、容器本体２５の大径筒部３２の外周面の後部（容器本体２５全体の外周面の略中央部）には、第１基準直線ＳＬ１に沿って第１装着方向指示部４５が設けられると共に、第２基準直線ＳＬ２に沿って第２装着方向指示部４６が設けられている。第１、第２装着方向指示部４５、４６は、装着方向Ｘを指示する矢印形状の溝によって構成されている。第１、第２装着方向指示部４５、４６は、搬送リブ３９と重ならないように配置されている。
【００５１】
図６等に示されるように、容器本体２５の大径筒部３２の外周面の前後方向略中央部（容器本体２５全体の外周面の装着方向手前側の部分）には、第２基準直線ＳＬ２に沿って表記部４７が設けられている。表記部４７は、第２指置き部４４と第２装着方向指示部４６の間に設けられている。表記部４７は、略矩形状の溝によって構成されている。表記部４７には、例えば、容器本体２５の材質に関する表記（図示せず）が設けられている。表記部４７は、搬送リブ３９と重ならないように配置されている。
【００５２】
図８等に示されるように、容器本体２５の小径筒部３４の外周面（容器本体２５全体の外周面の装着方向奥側の部分）には、第１係合突起４８（第１回転規制部）が設けられている。第１係合突起４８は、搬送リブ３９と重ならないように配置されている。図９等に示されるように、容器本体２５の小径筒部３４の外周面（容器本体２５全体の外周面の装着方向奥側の部分）には、第２係合突起４９（第２回転規制部）が設けられている。第２係合突起４９は、搬送リブ３９と重なるように配置されている。図１０等に示されるように、第１、第２係合突起４８、４９は、回転軸線Ｙ及び第１、第２基準直線ＳＬ１、ＳＬ２を含む平面Ｆ上に配置されている。第２係合突起４９は、回転軸線Ｙを挟んで第１係合突起４８の反対側に設けられている。
【００５３】
図８、図９等に示されるように、容器本体２５の小径筒部３４の外周面（容器本体２５全体の外周面の装着方向奥側の部分）には、第１突起部５１（第１移動規制部）及び第２突起部５２（第２移動規制部）が設けられている。第１、第２突起部５１、５２は、搬送リブ３９と重ならないように配置されている。図１０等に示されるように、第２突起部５２は、回転軸線Ｙを挟んで第１突起部５１の反対側に設けられている。第１、第２突起部５１、５２は、第１、第２係合突起４８、４９とは９０度ずつ周方向の位置をずらして配置されている。つまり、第１、第２係合突起４８、４９と第１、第２突起部５１、５２は、周方向の位置が重ならないように配置されている。
【００５４】
図９等に示されるように、容器本体２５の小径筒部３４の後端部（容器本体２５全体の装着方向奥側の端部且つ前後方向一端部）には、円形の開口部５３が設けられている。小径筒部３４の後端部には、開口部５３の外周に、円環状のフランジ部５４が設けられている。フランジ部５４は、径方向外側に向かって突出している。
【００５５】
次に、トナーコンテナ２１Ｋの伝達部材２６について説明する。
【００５６】
図４等に示されるように、伝達部材２６は、容器本体２５の小径筒部３４の外周面に装着されている。伝達部材２６は、回転軸線Ｙを中心とする円筒状を成している。
【００５７】
伝達部材２６は、大径部５５と、大径部５５の後側（前後方向外側）に設けられる中径部５６と、中径部５６の後側（前後方向外側）に設けられる小径部５７と、を備えている。伝達部材２６の各部の外径は、大径部５５、中径部５６、小径部５７の順に小さくなっている。大径部５５の前端部（伝達部材２６全体の前後方向内側の端部）は、容器本体２５の第１、第２突起部５１、５２と対向している。大径部５５の外周面には、伝達ギア６１が設けられている。図３等に示されるように、伝達ギア６１の直径Ｒｇは、容器本体２５の大径筒部３２の外径Ｒ１及び中径筒部３３の外径Ｒ２よりも小さく、容器本体２５の小径筒部３４の外径Ｒ３よりも大きい。
【００５８】
図８等に示されるように、伝達部材２６の大径部５５及び中径部５６の内周面には、周方向に間隔をおいて複数の係合リブ６２が設けられている。複数の係合リブ６２は、例えば、等間隔で１０個〜２０個設けられている。複数の係合リブ６２は、伝達部材２６の内周面の全域に亘って設けられている。複数の係合リブ６２は、前後方向に沿って延びている。図５等に示されるように、複数の係合リブ６２のうちの１組の係合リブ６２の間隔には、容器本体２５の第１係合突起４８が挿入されている。図６等に示されるように、複数の係合リブ６２のうちの上記１組の係合リブ６２とは別の１組の係合リブ６２の間隔には、容器本体２５の第２係合突起４９が挿入されている。このような構成により、容器本体２５に対する伝達部材２６の回転が規制されている。なお、上記２組の係合リブ６２以外の係合リブ６２（第１、第２係合突起４８，４９が間隔に挿入されていない係合リブ６２）は、伝達部材２６を補強する補強部として機能している。
【００５９】
次に、トナーコンテナ２１Ｋのカバー２７について説明する。
【００６０】
図３等に示されるように、カバー２７は、容器本体２５の小径筒部３４に設けられた開口部５３を覆っている。カバー２７の上下方向の長さＬｃは、容器本体２５の大径筒部３２の外径Ｒ１及び中径筒部３３の外径Ｒ２よりも短く、容器本体２５の小径筒部３４の外径Ｒ３よりも長い。
【００６１】
図４〜図６等に示されるように、カバー２７は、本体部６３と、本体部６３から前側（前後方向内側且つ装着方向手前側）に向かって延出する保持部６４と、本体部６３の後下部から後側（前後方向外側且つ装着方向奥側）に向かって突出する係合筒部６５と、係合筒部６５の上側に設けられるカバー側規制部６６と、本体部６３、保持部６４及び係合筒部６５の下側に設けられるカバー側シャッター６７と、本体部６３及び保持部６４から上側に向かって延出する支持部６８と、支持部６８の左側に設けられる表示部７０及び第１レバー７１（図５等参照）と、支持部６８の右側に設けられる第２レバー７２（図６等参照）と、を備えている。
【００６２】
図４等に示されるように、カバー２７の本体部６３の内部には、容器本体２５の開口部５３を介して容器本体２５のトナー収容空間Ｐと連通する連通空間Ｑが設けられている。連通空間Ｑは、上下方向に沿って延びている。本体部６３には、連通空間Ｑの前上側にトナー導入口７３が設けられている。本体部６３には、トナー導入口７３の周囲に環状の台座部７４が設けられている。本体部６３には、トナー導入口７３よりも後側（前後方向外側）に傾斜壁部７５が設けられている。傾斜壁部７５は、後側（前後方向外側）に向かって下側に傾斜している。本体部６３には、連通空間Ｑの下端側にトナー排出口７６が設けられている。
【００６３】
カバー２７の保持部６４は、回転軸線Ｙを中心とする略円筒状を成している。保持部６４は、容器本体２５の第１、第２突起部５１、５２との間に伝達部材２６を挟み込んでいる。このような構成により、容器本体２５に対する伝達部材２６の前後方向の移動が規制されると共に、容器本体２５からの伝達部材２６の脱落が防止されている。
【００６４】
カバー２７の保持部６４は、大径枠部７８と、大径枠部７８の後側（前後方向外側）に設けられる小径枠部７９と、を備えている。大径枠部７８の外径は、小径枠部７９の外径よりも大きい。大径枠部７８の径方向内側には、伝達部材２６の小径部５７が挿入されている。大径枠部７８の前端部は、伝達部材２６の中径部５６の後端部と対向し、小径枠部７９の前端部は、伝達部材２６の小径部５７の後端部と対向している。
【００６５】
図８等に示されるように、カバー２７の保持部６４の小径枠部７９には、左側と右側の上下に計４個の係止部８２が設けられている。図５、図６等に示されるように、各係止部８２は、容器本体２５のフランジ部５４（装着方向奥側の端部且つ前後方向一端部）を係止している。これにより、保持部６４によって容器本体２５のフランジ部５４が保持されている。小径枠部７９には、各係止部８２の後側（前後方向外側）に窓部８３が設けられている。
【００６６】
図１０等に示されるように、カバー２７の係合筒部６５は、左右一対の側壁部８４と、左右一対の側壁部８４の上端部を連結する上壁部８５と、左右一対の側壁部８４の下端部を連結する下壁部８６と、を備えている。左右一対の側壁部８４は、略鉛直な平板状を成しており、互いに対向している。上壁部８５は、上側に向かって円弧状に湾曲している。下壁部８６は、略水平な平板状を成している。
【００６７】
カバー２７の係合筒部６５の内側には、凹部８７（カバー側係合部）が設けられている。図４等に示されるように、凹部８７は、カバー２７の後面（装着方向奥側の面且つ前後方向外側の面）に設けられている。凹部８７は、装着方向Ｘ及び前後方向に沿って延びている。
【００６８】
図１０等に示されるように、カバー２７のカバー側規制部６６は、嵌合突起８８と、嵌合突起８８の外周に設けられる複数個（本実施形態では８個）のベース部８９と、複数個のベース部８９のうちの一部に設けられる複数個（本実施形態では４個）の規制板９０と、を備えている。嵌合突起８８は、回転軸線Ｙ上に設けられている。各ベース部８９は、嵌合突起８８を中心とする円周Ｇ上に配置されており、この円周Ｇの下端部は、係合筒部６５の凹部８７と重なっている。本実施形態のトナーコンテナ２１Ｋでは、８個のベース部８９のうちの右側の４個のベース部８９に規制板９０が設けられている。これに対して、本実施形態のトナーコンテナ２１Ｋとは仕向地が異なるトナーコンテナ２１Ｋでは、規制板９０が設けられるベース部８９の組み合わせが本実施形態とは異なっている。なお、複数個のベース部８９のうちの一部に規制板９０を設ける方法としては、複数個のベース部８９のすべてに規制板９０を設けた後に一部の規制板９０を削除しても良いし、複数個のベース部８９のうちの一部のみに規制板９０を固定しても良い。
【００６９】
図５、図６等に示されるように、カバー側シャッター６７は、前後方向に長い形状を成している。カバー側シャッター６７は、固定片９１と、固定片９１に支持される可動片９２と、を備えている。なお、図４では、固定片９１は表示が省略されており、可動片９２のみが模式的に表示されている。可動片９２は、本体部６３のトナー排出口７６を開放する開位置（図４の実線参照）と、本体部６３のトナー排出口７６を閉止する閉位置（図４の二点鎖線参照）と、の間で前後方向に沿って移動するように構成されている。
【００７０】
図５、図６等に示されるように、カバー２７の支持部６８は、左右一対の支持板９３と、左右一対の支持板９３の上端部を連結する連結板９４と、を備えている。左右一対の支持板９３は、互いに対向している。各支持板９３の下端部は、カバー２７の本体部６３及び保持部６４に連結されている。連結板９４の右前隅部には、貫通穴９５が設けられている。
【００７１】
図１１Ａ、図１１Ｂ等に示されるように、カバー２７の表示部７０は、矩形状のラベルによって構成されている。表示部７０の裏面は、支持部６８の左側の支持板９３の左側面に接着されている。表示部７０の表面には、表示部７０の周囲の部材（例えば、カバー２７の本体部６３、保持部６４、支持部６８及び第１レバー７１）の色彩とは異なる色彩が施されている。本実施形態では、表示部７０の表面には赤色が施され、表示部７０の周囲の部材には黒色が施されている。
【００７２】
カバー２７の第１レバー７１は、第１ベース板９６と、第１ベース板９６の後部から左側（左右方向外側）に向かって突出する第１突片９７と、を備えている。第１レバー７１は、支持部６８の左側の支持板９３の左側面に沿って移動するように左側の支持板９３に支持されている。第１レバー７１は、第１位置（図１１Ａ参照）と、第１位置よりも前側の第２位置（図１１Ｂ参照）と、の間で前後方向に沿って移動するように構成されている。
【００７３】
図１２Ａ、図１２Ｂ等に示されるように、カバー２７の第２レバー７２は、第２ベース板１００と、第２ベース板１００の後部から右側（左右方向外側）に向かって突出する第２突片１０１と、を備えている。第２レバー７２は、支持部６８の右側の支持板９３の右側面に沿って移動するように右側の支持板９３に支持されている。第２レバー７２は、第３位置（図１２Ａ参照）と、第３位置よりも前側の第４位置（図１２Ｂ参照）と、の間で前後方向に沿って移動するように構成されている。
【００７４】
次に、トナーコンテナ２１Ｋのシール部材２８について説明する。
【００７５】
図４等に示されるように、シール部材２８は、カバー２７の本体部６３の前側（前後方向内側）且つカバー２７の保持部６４の径方向内側に配置されている。シール部材２８は、円環状を成している。シール部材２８は、圧縮された状態で、容器本体２５のフランジ部５４とカバー２７の本体部６３の台座部７４の間に介装されている。シール部材２８は、台座部７４の前面（前後方向内側の面）に固定されている。
【００７６】
図４、図８等に示されるように、シール部材２８は、弾性層１０３と、弾性層１０３の後側（前後方向外側）に設けられる第１接着層１０４と、第１接着層１０４の後側（前後方向外側）に設けられる基材層１０５と、基材層１０５の後側（前後方向外側）に設けられる第２接着層１０６と、を備えている。弾性層１０３は、例えば弾性材料であるウレタンフォームによって構成されている。第１接着層１０４は、例えば両面テープによって構成されており、弾性層１０３と基材層１０５を接着している。基材層１０５は、弾性層１０３を構成するウレタンフォームよりも剛性が高い材料によって構成されている。基材層１０５は、例えば樹脂製のフィルムによって構成されている。第２接着層１０６は、例えば両面テープによって構成されており、基材層１０５とカバー２７の本体部６３の台座部７４を接着している。
【００７７】
図１１Ａ、図１１Ｂ、図１２Ａ、図１２Ｂ等に示されるように、シール部材２８の一部は、カバー２７の保持部６４に設けられた窓部８３を介して外部に露出している。そのため、シール部材２８の一部を外部から視認可能となっている。
【００７８】
次に、トナーコンテナ２１Ｋの撹拌部材２９について説明する。
【００７９】
図４、図９等に示されるように、撹拌部材２９は、容器本体２５よりも後側（前後方向外側）に配置されている。撹拌部材２９は、容器本体２５よりも摩擦係数の低い材料によって構成されている。撹拌部材２９は、例えば樹脂製のフィルムによって構成されている。
【００８０】
撹拌部材２９は、固定部１０７と、固定部１０７から径方向内側に向かって延びる延出部１０８と、延出部１０８の径方向内側の端部から後側（前後方向外側且つ連通空間Ｑ側）に向かって延びる挿入部１０９と、を備えている。
【００８１】
撹拌部材２９の固定部１０７は、円環状を成している。固定部１０７の前面（前後方向内側の面）は、容器本体２５の小径筒部３４の後端部（容器本体２５全体の前後方向一端部）に固定されている。容器本体２５の小径筒部３４の後端部と固定部１０７の固定面Ｈは、回転軸線Ｙに対して垂直である。固定部１０７の後面（前後方向外側の面）は、シール部材２８の弾性層１０３の前面（前後方向内側の面）に当接している。このように、固定部１０７は、容器本体２５の小径筒部３４の後端部とシール部材２８の弾性層１０３の間に介装されている。
【００８２】
撹拌部材２９の挿入部１０９は、固定部１０７及び延出部１０８よりも後側（前後方向外側且つ連通空間Ｑ側）に向かって突出している。挿入部１０９の基端部は、延出部１０８の径方向内側の端部から後側（前後方向外側且つ連通空間Ｑ側）に向かって鈍角に屈曲され、弾性部材２８を貫通している。挿入部１０９の先端部は、カバー２７の本体部６３の連通空間Ｑに挿入されている。挿入部１０９の先端部は、カバー２７の本体部６３に設けられたトナー排出口７６の直上に位置している。挿入部１０９の先端部は、円弧状に湾曲している。
【００８３】
次に、トナーコンテナ２１Ｃ（シアンのトナーコンテナ）、２１Ｍ（マゼンタのトナーコンテナ）、２１Ｙ（イエローのトナーコンテナ）について説明する。なお、各トナーコンテナ２１Ｃ、２１Ｍ、２１Ｙの構成は同様であるため、以下、トナーコンテナ２１Ｃについてのみ説明を行い、トナーコンテナ２１Ｍ、２１Ｙについては説明を省略する。
【００８４】
図１３等に示されるように、トナーコンテナ２１Ｃは、容器本体１１１と、容器本体１１１の後部に装着される伝達部材１１２と、伝達部材１１２の後側に設けられるカバー１１３と、カバー１１３の略中央部に収容されるシール部材１１４と、容器本体１１１の後端部に固定される撹拌部材１１５と、を備えている。
【００８５】
トナーコンテナ２１Ｃの伝達部材１１２、シール部材１１４及び撹拌部材１１５の構成は、トナーコンテナ２１Ｋの伝達部材２６、シール部材２８及び撹拌部材２９の構成と同様であるため、説明を省略する。また、トナーコンテナ２１Ｃのカバー１１３の構成は、第１、第２レバー７１、７２を備えていない点を除いてトナーコンテナ２１Ｋのカバー２７の構成と同様であるため、説明を省略する。従って、以下、トナーコンテナ２１Ｃの容器本体１１１についてのみ説明を行う。
【００８６】
容器本体１１１は、取っ手部１１６と、取っ手部１１６の後側（トナー搬送方向下流側）に設けられる大径筒部１１７と、大径筒部１１７の後側（トナー搬送方向下流側）に設けられる小径筒部１１８と、を備えている。大径筒部１１７の外径Ｒ４は、小径筒部１１８の外径Ｒ５よりも大きい。
【００８７】
図１３、図１４等に示されるように、容器本体１１１の外周面には、大径筒部１１７と小径筒部１１８の間に段差部１１９（移動規制部）が形成されている。段差部１１９は、螺旋部１２１と、螺旋部１２１の後側（トナー搬送方向下流側）に設けられる平面部１２２と、を備えている。螺旋部１２１は、前後方向に対して傾斜する螺旋状を成している。平面部１２２は、前後方向と垂直な平面状を成している。平面部１２２の一部（図１３、図１４の図面上は上部）は、カバー１１３の保持部６４との間に伝達部材１１２を挟み込んでいる。このような構成により、容器本体１１１に対する伝達部材１１２の前後方向の移動が規制されると共に、容器本体１１１からの伝達部材１１２の脱落が防止されている。容器本体１１１の上記以外の構成は、トナーコンテナ２１Ｋの容器本体２５と同様であるため、説明を省略する。
【００８８】
次に、トナー補給用装着部２２Ｋ、２２Ｃ、２２Ｍ、２２Ｙについて説明する。
【００８９】
図２等に示されるように、トナー補給用装着部２２Ｋ、２２Ｃ、２２Ｍ、２２Ｙは、左右方向に並んでいる。各トナー補給用装着部２２Ｋ、２２Ｃ、２２Ｍ、２２Ｙは、前後方向に延びる筒状を成している。トナー補給用装着部２２Ｋの内径は、トナー補給用装着部２２Ｃ、２２Ｍ、２２Ｙの内径よりも大きい。
【００９０】
トナー補給用装着部２２Ｋの後上部には、第１アクチュエーター１２３が設けられている。図１５等に示されるように、第１アクチュエーター１２３は、左右一対の第１揺動軸１２４と、各第１揺動軸１２４の左右方向内側から前下側に向かって延びる揺動部１２５と、を備えている。揺動部１２５の前端部には、左右一対の当接板１２６が設けられている。揺動部１２５の前端部には、左右一対の当接板１２６の斜め下方に係止板１２７が設けられている。揺動部１２５の前端部には、左側の当接板１２６の左方に被押圧板１２８が設けられている。第１アクチュエーター１２３は、揺動部１２５の前部がトナー補給用装着部２２Ｋの内部空間に進入する進入位置（図１５の実線参照）と、揺動部１２５の前部がトナー補給用装着部２２Ｋの内部空間から退避する退避位置（図１５の二点鎖線参照）と、の間で各第１揺動軸１２４を中心に揺動するように構成されている。第１アクチュエーター１２３は、第１付勢体（図示せず）によって進入位置に付勢されている。
【００９１】
図１６等に示されるように、トナー補給用装着部２２Ｋの後端部には、第１押圧部１３１が設けられている。各トナー補給用装着部２２Ｋ、２２Ｃ、２２Ｍ、２２Ｙの後端部には、装着部側規制部１３２が設けられている。装着部側規制部１３２は、円筒状の嵌合受部１３３と、嵌合受部１３３の外周に設けられる複数個（例えば、４個）の規制片１３４と、を備えている。本実施形態の各トナー補給用装着部２２Ｋ、２２Ｃ、２２Ｍ、２２Ｙでは、嵌合受部１３３の中心よりも左側に４個の規制片１３４が設けられている。これに対して、本実施形態の複合機本体２とは仕向地が異なる複合機本体２の各トナー補給用装着部２２Ｋ、２２Ｃ、２２Ｍ、２２Ｙでは、複数の規制片１３４が設けられる位置が本実施形態とは異なっている。
【００９２】
各トナー補給用装着部２２Ｋ、２２Ｃ、２２Ｍ、２２Ｙの下面の後部には、トナー補給口１３５が設けられている。各トナー補給用装着部２２Ｋ、２２Ｃ、２２Ｍ、２２Ｙのトナー補給口１３５は、上下方向に沿って延びる補給管１３６を介して、各画像形成部７Ｋ、７Ｃ、７Ｍ、７Ｙの現像器１０の内部空間と連通している。
【００９３】
各トナー補給用装着部２２Ｋ、２２Ｃ、２２Ｍ、２２Ｙの後部には、装着部側シャッター１３７が設けられている。図１７等に示されるように、装着部側シャッター１３７は、シャッター本体１３８と、シャッター本体１３８の前側（装着方向手前側）に設けられるボス１３９（装着部側係合部）と、シャッター本体１３８の左右両側に設けられる左右一対の取付片１４０と、を備えている。シャッター本体１３８は、底壁１４２と、底壁１４２の前端部から上側に向かって延びる前壁１４３と、底壁１４２の左右両端部から上側に向かって延びる左右両側壁１４４と、を備えている。ボス１３９は、シャッター本体１３８の前壁１４３から前側（装着方向手前側）に向かって突出している。ボス１３９は、装着方向Ｘ及び前後方向に沿って延びている。
【００９４】
各トナー補給用装着部２２Ｋ、２２Ｃ、２２Ｍ、２２Ｙの装着部側シャッター１３７は、シャッター本体１３８の底壁１４２がトナー補給口１３５を開放する開放位置（図１７の実線参照）と、シャッター本体１３８の底壁１４２がトナー補給口１３５を閉止する閉止位置（図１７の二点鎖線参照）と、の間で前後方向に沿って移動するように構成されている。装着部側シャッター１３７は、各取付片１４０に取り付けられるコイルバネ１４５（付勢部材）によって閉止位置に付勢されている。
【００９５】
図１８等に示されるように、トナー補給用装着部２２Ｋ、２２Ｃ、２２Ｍ、２２Ｙの後方には、モーターなどによって構成される駆動源１４６が設けられている。トナー補給用装着部２２Ｋとトナー補給用装着部２２Ｃの間には、第１駆動ギア１４７が設けられている。第１駆動ギア１４７は、ギア列１４８及び第１駆動軸１４９を介して駆動源１４６に接続されている。トナー補給用装着部２２Ｍとトナー補給用装着部２２Ｙの間には、第２駆動ギア１５１が設けられている。第２駆動ギア１５１は、ギア列１４８及び第２駆動軸１５２を介して駆動源１４６に接続されている。トナー補給用装着部２２Ｃとトナー補給用装着部２２Ｍの間には、アイドルギア１５３が設けられている。
【００９６】
次に、廃トナーボトル２３について説明する。
【００９７】
図１９等に示されるように、廃トナーボトル２３は、トナーコンテナ２１Ｋの上下を反転させたものである。廃トナーボトル２３の構成は、トナーコンテナ２１Ｋの構成と同様であるため、説明を省略する。
【００９８】
次に、廃トナー回収用装着部２４について説明する。
【００９９】
図２０等に示されるように、廃トナー回収用装着部２４は、前後方向に延びる筒状を成している。廃トナー回収用装着部２４の後上方には、上下方向に沿って延びる廃棄管１５４が設けられている。廃トナー回収用装着部２４の後端部には、第２押圧部１５５が設けられている。
【０１００】
廃トナー回収用装着部２４の後下部には、第２アクチュエーター１５６が設けられている。第２アクチュエーター１５６は、第２揺動軸１５７と、第２揺動軸１５７から後上側に向かって延びる後側揺動片１５８と、第２揺動軸１５７から前側に向かって延びる前側揺動片１５９と、を備えている。第２アクチュエーター１５６は、前側揺動片１５９が廃トナー回収用装着部２４の内部空間から退避する第１揺動位置（図２０の実線及び点線参照）と、前側揺動片１５９が廃トナー回収用装着部２４の内部空間に進入する第２揺動位置（図２０の二点鎖線参照）と、の間で第２揺動軸１５７を中心に揺動するように構成されている。第２アクチュエーター１５６は、第２付勢体（図示せず）によって第１揺動位置に付勢されている。
【０１０１】
上記のように構成された複合機１において、トナーコンテナ２１Ｋ、２１Ｃ、２１Ｍ、２１Ｙをトナー補給用装着部２２Ｋ、２２Ｃ、２２Ｍ、２２Ｙに装着する動作について説明する。なお、各トナーコンテナ２１Ｋ、２１Ｃ、２１Ｍ、２１Ｙの装着動作は同様であるため、以下、トナーコンテナ２１Ｋをトナー補給用装着部２２Ｋに装着する動作についてのみ説明を行い、トナーコンテナ２１Ｃ、２１Ｍ、２１Ｙをトナー補給用装着部２２Ｃ、２２Ｍ、２２Ｙに装着する動作については説明を省略する。
【０１０２】
トナーコンテナ２１Ｋをトナー補給用装着部２２Ｋに装着する際には、図２等に示されるように、トナーコンテナ２１Ｋをトナー補給用装着部２２Ｋに前側から後側に向かって挿入していく。
【０１０３】
トナーコンテナ２１Ｋがトナー補給用装着部２２Ｋの所定位置まで挿入されると、図２１に示されるように、トナーコンテナ２１Ｋのカバー２７の係合筒部６５に設けられた凹部８７とトナー補給用装着部２２Ｋの装着部側シャッター１３７のボス１３９が係合する。これにより、トナーコンテナ２１Ｋがトナー補給用装着部２２Ｋに対して位置決めされる。
【０１０４】
この状態から、トナーコンテナ２１Ｋがトナー補給用装着部２２Ｋに更に挿入され、トナーコンテナ２１Ｋがトナー補給用装着部２２Ｋに装着されると、図２２に示されるように、トナーコンテナ２１Ｋのカバー２７の係合筒部６５に設けられた凹部８７とトナー補給用装着部２２Ｋの装着部側シャッター１３７のボス１３９が係合した状態でカバー２７の本体部６３がボス１３９を押圧する。この押圧により、装着部側シャッター１３７が閉止位置から開放位置まで移動し、トナー補給用装着部２２Ｋのトナー補給口１３５が開放される。
【０１０５】
また、上記のようにトナーコンテナ２１Ｋがトナー補給用装着部２２Ｋに装着されると、トナーコンテナ２１Ｋのカバー２７に設けられたカバー側シャッター６７の可動片９２が閉位置から開位置まで移動し、カバー２７の本体部６３のトナー排出口７６が開放される。そのため、本体部６３の連通空間Ｑが補給管１３６の内部空間と連通する。
【０１０６】
また、上記のようにトナーコンテナ２１Ｋがトナー補給用装着部２２Ｋに装着されると、トナーコンテナ２１Ｋのカバー２７のカバー側規制部６６に設けられた嵌合突起８８がトナー補給用装着部２２Ｋの装着部側規制部１３２に設けられた嵌合受部１３３に嵌合する。なお、複合機本体２の仕向地とトナーコンテナ２１Ｋの仕向地が一致する場合には、カバー２７のカバー側規制部６６に設けられた各規制板９０とトナー補給用装着部２２Ｋの装着部側規制部１３２に設けられた各規制片１３４（図１６等参照）が干渉せず、トナー補給用装着部２２Ｋへのトナーコンテナ２１Ｋの装着が許容される。一方で、複合機本体２の仕向地とトナーコンテナ２１Ｋの仕向地が一致しない場合には、カバー２７のカバー側規制部６６に設けられた各規制板９０とトナー補給用装着部２２Ｋの装着部側規制部１３２に設けられた各規制片１３４が干渉して、トナー補給用装着部２２Ｋへのトナーコンテナ２１Ｋの装着が規制される。
【０１０７】
また、上記のようにトナーコンテナ２１Ｋがトナー補給用装着部２２Ｋに装着されると、図１８等に示されるように、トナーコンテナ２１Ｋの伝達部材２６の伝達ギア６１が第１駆動ギア１４７に直接接続される。
【０１０８】
なお、トナーコンテナ２１Ｃ、２１Ｍ、２１Ｙがトナー補給用装着部２２Ｃ、２２Ｍ、２２Ｙに装着されると、図１８等に示されるように、トナーコンテナ２１Ｍ、２１Ｙの伝達部材１１２の伝達ギア６１が第２駆動ギア１５１に直接接続される。また、トナーコンテナ２１Ｃ、２１Ｍの伝達部材１１２の伝達ギア６１がアイドルギア１５３に接続される。これにより、トナーコンテナ２１Ｃの伝達部材１１２の伝達ギア６１がトナーコンテナ２１Ｍの伝達部材１１２の伝達ギア６１及びアイドルギア１５３を介して第２駆動ギア１５１に接続される。
【０１０９】
次に、上記のように構成された複合機１において、トナーコンテナ２１Ｋから画像形成部７Ｋの現像器１０にトナーを補給する動作について説明する。
【０１１０】
トナーコンテナ２１Ｋから画像形成部７Ｋの現像器１０にトナーを補給する際には、図１８等に示されるようにトナーコンテナ２１Ｋがトナー補給用装着部２２Ｋに装着された状態で、駆動源１４６を駆動させる。このように駆動源１４６が駆動すると、駆動源１４６からの回転駆動力がギア列１４８及び第１駆動軸１４９を介して第１駆動ギア１４７に伝達され、第１駆動ギア１４７が回転する。即ち、駆動源１４６からの回転駆動力によって第１駆動ギア１４７が回転する。
【０１１１】
このように第１駆動ギア１４７が回転すると、第１駆動ギア１４７の回転がトナーコンテナ２１Ｋの伝達部材２６に伝達され、伝達部材２６が回転する。このように伝達部材２６が回転すると、これに伴ってトナーコンテナ２１Ｋの容器本体２５が伝達部材２６と一体に回転する。即ち、伝達部材２６によって駆動源１４６からの回転駆動力が容器本体２５に伝達される。
【０１１２】
上記のようにトナーコンテナ２１Ｋの容器本体２５が回転すると、トナーコンテナ２１Ｋの撹拌部材２９（図２２等参照）が容器本体２５と一体に回転する。一方で、トナーコンテナ２１Ｋのカバー２７及びシール部材２８は、容器本体２５の回転時に回転せず、回転停止状態を保持する。そのため、容器本体２５及び撹拌部材２９がカバー２７及びシール部材２８に対して相対的に回転し、撹拌部材２９の固定部１０７がシール部材２８の弾性層１０３に対して摺動する。
【０１１３】
また、上記のようにトナーコンテナ２１Ｋの容器本体２５が回転すると、図２２に矢印Ａで示されるように、容器本体２５の搬送リブ３９によって容器本体２５内のトナーが前側から後側に向かって搬送され、開口部５３を介して容器本体２５から排出される。このように容器本体２５から開口部５３を介して排出されたトナーは、トナー導入口７３を介してカバー２７の本体部６３の連通空間Ｑに導入される。このように連通空間Ｑに導入されたトナーは、容器本体２５と一体に回転する撹拌部材２９の挿入部１０９によって撹拌され、図２２に矢印Ｂで示されるように、本体部６３のトナー排出口７６を介して連通空間Ｑから排出される。このように連通空間Ｑからトナー排出口７６を介して排出されたトナーは、トナー補給用装着部２２Ｋのトナー補給口１３５を介して補給管１３６に導入され、補給管１３６から画像形成部７Ｋの現像器１０に補給される。
【０１１４】
次に、上記のように構成された複合機１において、トナーコンテナ２１Ｃ、２１Ｍ、２１Ｙから画像形成部７Ｃ、７Ｍ、７Ｙの現像器１０にトナーを補給する動作について説明する。
【０１１５】
トナーコンテナ２１Ｃ、２１Ｍ、２１Ｙから画像形成部７Ｃ、７Ｍ、７Ｙの現像器１０にトナーを補給する際には、図１８等に示されるようにトナーコンテナ２１Ｃ、２１Ｍ、２１Ｙがトナー補給用装着部２２Ｃ、２２Ｍ、２２Ｙに装着された状態で、駆動源１４６を駆動させる。このように駆動源１４６が駆動すると、駆動源１４６からの回転駆動力がギア列１４８及び第２駆動軸１５２を介して第２駆動ギア１５１に伝達され、第２駆動ギア１５１が回転する。即ち、駆動源１４６からの回転駆動力によって第２駆動ギア１５１が回転する。
【０１１６】
このように第２駆動ギア１５１が回転すると、第２駆動ギア１５１の回転がトナーコンテナ２１Ｍ、２１Ｙの伝達部材１１２に伝達され、トナーコンテナ２１Ｍ、２１Ｙの伝達部材１１２が回転する。また、第２駆動ギア１５１の回転がトナーコンテナ２１Ｍの伝達部材１１２及びアイドルギア１５３を介してトナーコンテナ２１Ｃの伝達部材１１２に伝達され、トナーコンテナ２１Ｃの伝達部材１１２が回転する。その他の作用については、トナーコンテナ２１Ｋから画像形成部７Ｋの現像器１０にトナーを補給する動作と同様であるため、説明を省略する。
【０１１７】
次に、上記のように構成された複合機１において、中間転写ベルト５及び各画像形成部７Ｋ、７Ｃ、７Ｍ、７Ｙの感光体ドラム８から廃トナーボトル２３に廃トナーを回収する動作について説明する。
【０１１８】
廃トナーを回収する際には、図２３に示されるように廃トナーボトル２３が廃トナー回収用装着部２４に装着された状態で、廃トナーボトル２３の伝達部材２６を回転させる。このように伝達部材２６が回転すると、廃トナーボトル２３の容器本体２５が伝達部材２６と一体に回転すると共に、廃トナーボトル２３の撹拌部材２９が容器本体２５と一体に回転する。
【０１１９】
また、廃トナーを回収する際には、クリーニング機構６によって中間転写ベルト５から廃トナーを回収すると共に、各画像形成部７Ｋ、７Ｃ、７Ｍ、７Ｙのクリーニング装置１２によって感光体ドラム８から廃トナーを回収する。このようにしてクリーニング機構６及びクリーニング装置１２によって回収された廃トナーは、廃棄ダクト（図示せず）を介して廃棄管１５４へと搬送される。このように廃棄管１５４へと搬送された廃トナーは、図２３に矢印Ｃで示されるように、廃棄管１５４から廃トナーボトル２３のカバー２７の連通空間Ｑに導入される。このようにカバー２７の連通空間Ｑに導入された廃トナーは、容器本体２５と一体に回転する撹拌部材２９によって撹拌され、カバー２７の連通空間Ｑから容器本体２５のトナー収容空間Ｐに導入される。このように容器本体２５のトナー収容空間Ｐに導入された廃トナーは、図２３に矢印Ｄで示されるように、容器本体２５の搬送リブ３９によって後側から前側に向かって搬送され、容器本体２５に収容される。
【０１２０】
ところで、本実施形態では、トナーコンテナ２１Ｋの容器本体２５のトナー収容空間Ｐに収容されたブラックのトナーが空になった後に、トナーコンテナ２１Ｋの上下を反転させ、トナーコンテナ２１Ｋを廃トナーボトル２３として使用するようになっている。このように１個のトナー容器をトナー補給用途と廃トナー回収用途に併用する場合に、廃トナー回収用途に使用されたトナー容器がトナー補給用装着部２２Ｋに装着されると、廃トナーによってトナー補給動作が実行されてしまう恐れがある。そこで、本実施形態では以下のようにして、上記のような事態を回避している。以下、１個のトナー容器をトナー補給用途と廃トナー回収用途に併用することを前提とする場合には、トナーコンテナ２１Ｋと廃トナーボトル２３を合わせてトナー容器２１Ｋ、２３と表記する。
【０１２１】
トナー容器２１Ｋ、２３が一度も廃トナー回収用途に使用されていない状態（トナー容器２１Ｋ、２３が一度も廃トナー回収用装着部２４に装着されていない状態）では、トナー容器２１Ｋ、２３のカバー２７の第１レバー７１は第１位置（図１１Ａ参照）に位置している。
【０１２２】
この状態で、トナー容器２１Ｋ、２３が廃トナー回収用装着部２４の所定位置まで挿入されると、図２４Ａに示されるように、廃トナー回収用装着部２４の第２押圧部１５５に第１レバー７１の第１突片９７が当接する。
【０１２３】
この状態から、トナー容器２１Ｋ、２３が廃トナー回収用装着部２４に更に挿入され、トナー容器２１Ｋ、２３が廃トナー回収用装着部２４に装着されると、図２４Ｂに示されるように、廃トナー回収用装着部２４の第２押圧部１５５が第１レバー７１の第１突片９７を押圧する。この押圧により、第１レバー７１が第１位置（図１１Ａ参照）から第２位置（図１１Ｂ参照）まで移動し、これに伴って、カバー２７の表示部７０が外部に露出する。表示部７０の表面には周囲の部材の色彩とは異なる色彩が施されているため、トナー容器２１Ｋ、２３が廃トナー回収用途に使用されたことをユーザーやサービスマン等の作業者が視覚的に認識する。
【０１２４】
上記のように、カバー２７の第１レバー７１は、トナー容器２１Ｋ、２３が一度も廃トナー回収用途に使用されていない状態（トナー容器２１Ｋ、２３が一度も廃トナー回収用装着部２４に装着されていない状態）では第１位置に配置され、トナー容器２１Ｋ、２３が一度でも廃トナー回収用途に使用された状態（トナー容器２１Ｋ、２３が一度でも廃トナー回収用装着部２４に装着された状態）では第２位置に配置される。
【０１２５】
図２５Ａは、第１レバー７１が第１位置にある状態でトナー容器２１Ｋ、２３がトナー補給用装着部２２Ｋの所定位置まで挿入された場合を示している。この場合には、第１アクチュエーター１２３の揺動部１２５の各当接板１２６及び係止板１２７がカバー２７の支持部６８の連結板９４に当接するよりも早く、第１アクチュエーター１２３の揺動部１２５の被押圧板１２８が第１レバー７１の第１突片９７に当接し、第１レバー７１の第１突片９７に押圧される。これに伴って、第１アクチュエーター１２３が進入位置（図１５の実線参照）から退避位置（図１５の二点鎖線参照）まで移動するため、第１アクチュエーター１２３の揺動部１２５とトナー容器２１Ｋ、２３のカバー２７は干渉しない。そのため、トナー補給用装着部２２Ｋへのトナー容器２１Ｋ、２３の装着が許容される。
【０１２６】
一方で、図２５Ｂは、第１レバー７１が第２位置にある状態でトナー容器２１Ｋ、２３がトナー補給用装着部２２Ｋの所定位置まで挿入された場合を示している。この場合には、第１アクチュエーター１２３の揺動部１２５の被押圧板１２８が第１レバー７１の第１突片９７に当接するよりも早く、第１アクチュエーター１２３の揺動部１２５の各当接板１２６及び係止板１２７がカバー２７の支持部６８の連結板９４に当接する。そのため、第１アクチュエーター１２３が進入位置（図１５の実線参照）から退避位置（図１５の二点鎖線参照）まで移動することはなく、第１アクチュエーター１２３の揺動部１２５とトナー容器２１Ｋ、２３のカバー２７が干渉し、トナー補給用装着部２２Ｋへのトナー容器２１Ｋ、２３の装着が規制される。これにより、廃トナー回収用途に使用されたトナー容器２１Ｋ、２３がトナー補給用装着部２２Ｋに装着されるのを回避することが可能となり、廃トナーによってトナー補給動作が実行されるのを防止することができる。
【０１２７】
ところで、上記のようにトナーコンテナ２１Ｋ及び廃トナーボトル２３として同一のトナー容器２１Ｋ、２３を使用する場合に、未使用のトナー容器２１Ｋ、２３が廃トナー回収用装着部２４に装着されると、トナー容器２１Ｋ、２３内の未使用のトナーをトナー補給動作に使用することができなくなってしまう恐れがある。そこで、本実施形態では以下のようにして、上記のような事態を回避している。
【０１２８】
トナー容器２１Ｋ、２３が未使用の状態（トナー容器２１Ｋ、２３が一度もトナー補給用装着部２２Ｋに装着されていない状態）では、トナー容器２１Ｋ、２３のカバー２７の第２レバー７２は第３位置（図１２Ａ参照）に位置している。
【０１２９】
この状態で、トナー容器２１Ｋ、２３がトナー補給用装着部２２Ｋの所定位置まで挿入されると、図２６Ａに示されるように、トナー補給用装着部２２Ｋの第１押圧部１３１にカバー２７の第２レバー７２の第２突片１０１が当接する。
【０１３０】
この状態から、トナー容器２１Ｋ、２３がトナー補給用装着部２２Ｋに更に挿入され、トナー容器２１Ｋ、２３がトナー補給用装着部２２Ｋに装着されると、図２６Ｂに示されるように、トナー補給用装着部２２Ｋの第１押圧部１３１が第２レバー７２の第２突片１０１を押圧する。この押圧により、第２レバー７２が第３位置（図１２Ａ参照）から第４位置（図１２Ｂ参照）まで移動する。
【０１３１】
以上のように、第２レバー７２は、トナー容器２１Ｋ、２３が未使用の状態（トナー容器２１Ｋ、２３が一度もトナー補給用装着部２２Ｋに装着されていない状態）では第３位置に配置され、トナー容器２１Ｋ、２３が一度でも使用された状態（トナー容器２１Ｋ、２３が一度でもトナー補給用装着部２２Ｋに装着された状態）では第４位置に配置される。
【０１３２】
図２７Ａは、第２レバー７２が第４位置にある状態でトナー容器２１Ｋ、２３が廃トナー回収用装着部２４の所定位置まで挿入された場合を示している。この場合には、第２レバー７２の第２突片１０１が第２アクチュエーター１５６の後側揺動片１５８を押圧して第２アクチュエーター１５６が第１揺動位置（図２０の実線及び点線参照）から第２揺動位置（図２０の二点鎖線参照）まで揺動しても、第２アクチュエーター１５６の前側揺動片１５９がカバー２７の支持部６８の連結板９４に設けられた貫通穴９５に係合しない。そのため、廃トナー回収用装着部２４へのトナー容器２１Ｋ、２３の装着が許容される。
【０１３３】
一方で、図２７Ｂは、第２レバー７２が第３位置にある状態でトナー容器２１Ｋ、２３が廃トナー回収用装着部２４の所定位置まで挿入された場合を示している。この場合には、第２レバー７２の第２突片１０１が第２アクチュエーター１５６の後側揺動片１５８を押圧して第２アクチュエーター１５６が第１揺動位置（図２０の実線及び点線参照）から第２揺動位置（図２０の二点鎖線参照）まで揺動すると、第２アクチュエーター１５６の前側揺動片１５９がカバー２７の支持部６８の連結板９４に設けられた貫通穴９５に係合する。そのため、廃トナー回収用装着部２４へのトナー容器２１Ｋ、２３の装着が規制される。これにより、未使用のトナー容器２１Ｋ、２３が廃トナー回収用装着部２４に装着されるのを抑制することが可能となり、トナー容器２１Ｋ、２３内の未使用のトナーをトナー補給動作に使用できなくなるのを回避することができる。
【０１３４】
以下、本実施形態に係る複合機１によって発揮される効果について更に詳細に記載する。なお、トナーコンテナ２１Ｋ、２１Ｃ、２１Ｍ、２１Ｙに共通の効果については、トナーコンテナ２１Ｋについてのみ記載し、トナーコンテナ２１Ｃ、２１Ｍ、２１Ｙについては記載を省略する。
【０１３５】
本実施形態では上記のように、トナーコンテナ２１Ｋの容器本体２５が、容器本体２５に対する伝達部材２６の回転を規制するための第１、第２係合突起４８、４９と、容器本体２５に対する伝達部材２６の前後方向の移動を規制するための第１、第２突起部５１、５２と、を備えている。そのため、容器本体２５に対する伝達部材２６の回転及び前後方向の移動を確実に規制することが可能となり、伝達部材２６から容器本体２５に回転駆動力を確実に伝達することが可能となる。また、第１、第２係合突起４８、４９及び第１、第２突起部５１、５２を容器本体２５に設けているため、容器本体２５に対する伝達部材２６の回転及び前後方向の移動を規制するための専用の部品を追加する必要が無い。そのため、トナーコンテナ２１Ｋの構成の複雑化を回避し、トナーコンテナ２１Ｋの製造コストの上昇を抑制することが可能となる。
【０１３６】
また、トナーコンテナ２１Ｋの伝達部材２６の内周面には、周方向に間隔をおいて複数の係合リブ６２が設けられ、この複数の係合リブ６２のうちの２組の係合リブ６２の間隔に容器本体２５の第１、第２係合突起４８、４９が挿入されている。このような構成を採用することで、簡易な構成によって容器本体２５に対する伝達部材２６の回転を規制することが可能となる。
【０１３７】
また、トナーコンテナ２１Ｋの容器本体２５の搬送リブ３９に設けられた複数の第１、第２補強部４１、４２は、それぞれ第１、第２基準直線ＳＬ１、ＳＬ２に沿って配置され、第１、第２係合突起４８、４９は、回転軸線Ｙ及び第１、第２基準直線ＳＬ１、ＳＬ２を含む平面Ｆ上に配置されている。このような構成を採用することで、第１、第２係合突起４８、４９を容易に見つけることが可能となり、容器本体２５に対して伝達部材２６を組み付ける作業の容易化を図ることができる。
【０１３８】
また、トナーコンテナ２１Ｋについては伝達部材２６がカバー２７と第１、第２突起部５１、５２の間に挟み込まれ、トナーコンテナ２１Ｃ、２１Ｍ、２１Ｙについては伝達部材１１２がカバー１１３と段差部１１９の間に挟み込まれている。これらの構成を採用することで、簡易な構成によって容器本体２５、１１１に対する伝達部材２６、１１２の前後方向の移動を規制することができると共に、容器本体２５、１１１からの伝達部材２６、１１２の脱落を防止することができる。
【０１３９】
また、トナーコンテナ２１Ｋの容器本体２５の第１、第２係合突起４８、４９と第１、第２突起部５１、５２は、周方向の位置が重ならないように配置されている。このような構成を採用することで、第１、第２係合突起４８、４９と第１、第２突起部５１、５２の干渉を回避しつつ、容器本体２５に対する伝達部材２６の回転及び前後方向の移動を確実に規制することが可能となる。
【０１４０】
また、トナーコンテナ２１Ｋの伝達部材２６の外周面には、駆動源１４６からの回転駆動力によって回転する第１駆動ギア１４７に接続される伝達ギア６１が設けられている。このような構成を採用することで、簡易な構成によって伝達部材２６を回転させることが可能となる。
【０１４１】
また、トナーコンテナ２１Ｋの容器本体２５は、回転軸線Ｙを中心とする円筒状を成す大径筒部３２と、回転軸線Ｙを中心とする円筒状を成し、大径筒部３２よりも外径が小さい小径筒部３４と、を備え、伝達部材２６は、小径筒部３４の外周面に装着されている。このような構成を採用することで、大径筒部３２の外周面に伝達部材２６を装着する場合と比較して、伝達部材２６を小型化することが可能となり、伝達部材２６の製造コストを安くすることができる。
【０１４２】
また、トナーコンテナ２１Ｋの容器本体２５には、回転軸線Ｙを中心とする円筒状を成す中径筒部３３が大径筒部３２と小径筒部３４の間に設けられ、中径筒部３３の外径Ｒ２は、大径筒部３２の外径Ｒ１よりも小さく、小径筒部３４の外径Ｒ３よりも大きい。このような構成を採用することで、大径筒部３２と小径筒部３４の間で容器本体２５の外径が急激に変化するのを抑制することが可能となる。
【０１４３】
また、トナーコンテナ２１Ｋの伝達部材２６に設けられる伝達ギア６１の直径Ｒｇは、中径筒部３３の外径Ｒ２よりも小さく、小径筒部３４の外径Ｒ３よりも大きい。このような構成を採用することで、トナーコンテナ２１Ｋをトナー補給用装着部２２Ｋに装着する際に、伝達ギア６１がトナー補給用装着部２２Ｋの内面に引っ掛かるのを抑制することができる。
【０１４４】
また、トナーコンテナ２１Ｋの容器本体２５に設けられる中径筒部３３の前後方向の長さは、大径筒部３２の前後方向の長さよりも短く、小径筒部３４の前後方向の長さよりも長い。このような構成を採用することで、容器本体２５に中径筒部３３や小径筒部３４を設けたことによる容器本体２５の容積の低下を抑制することができる。
【０１４５】
また、トナーコンテナ２１Ｋのカバー２７の上下方向の長さＬｃは、大径筒部３２の外径Ｒ１よりも短く、小径筒部３４の外径Ｒ３よりも長い。このような構成を採用することで、トナーコンテナ２１Ｋをトナー補給用装着部２２Ｋに装着する際に、カバー２７がトナー補給用装着部２２Ｋの内面に引っ掛かるのを抑制することができる。
【０１４６】
また、トナーコンテナ２１Ｋの容器本体２５の小径筒部３４は、大径筒部３２よりも後側（トナー搬送方向下流側）に設けられている。このような構成を採用することで、容器本体２５のトナー収容空間Ｐからカバー２７の連通空間Ｑへと一度に大量のトナーが搬送されるのを抑制することが可能となり、連通空間Ｑ内においてトナーが詰まるのを抑制することができる。
【０１４７】
また、トナー容器２１Ｋ、２３は、トナー補給用装着部２２Ｋへのトナー容器２１Ｋ、２３の装着を許容する第１位置からトナー補給用装着部２２Ｋへのトナー容器２１Ｋ、２３の装着を規制する第２位置まで廃トナー回収用装着部２４へのトナー容器２１Ｋ、２３の装着に伴って移動する第１レバー７１と、第１レバー７１が第１位置から第２位置まで移動するのに伴って外部に露出し、トナー容器２１Ｋ、２３が廃トナー回収用途に使用されたことを表示する表示部７０と、を備えている。
【０１４８】
トナー容器２１Ｋ、２３に上記のような第１レバー７１を設けることで、前述の通り、未使用のトナー容器２１Ｋ、２３が廃トナー回収用装着部２４に装着されるのを抑制することが可能となる。また、トナー容器２１Ｋ、２３に上記のような表示部７０を設けることで、前述の通り、ユーザーやサービスマン等の作業者は、トナー容器２１Ｋ、２３が廃トナー回収用途に使用されたこと（トナー容器２１Ｋ、２３が少なくとも一度廃トナー回収用装着部２４に装着されたこと）を視覚的に認識することができる。なお、このような認識を作業者に確実に持たせるためには、表示部７０が外部に露出している場合にはすでにトナー容器２１Ｋ、２３が廃トナー回収用途に使用されており、トナー補給用装着部２２Ｋへのトナー容器２１Ｋ、２３の装着が規制される旨を表記しておくのが好ましい。このような表記は、例えば、トナー容器２１Ｋ、２３と同梱される取扱説明書やトナー容器２１Ｋ、２３の梱包箱やトナー容器２１Ｋ、２３自体などに施すことができる。
【０１４９】
また、トナー容器２１Ｋ、２３の第１レバー７１及び表示部７０は、容器本体２５の回転時に回転停止状態を保持するカバー２７に設けられている。このような構成を採用することで、第１レバー７１や表示部７０の位置が変化するのを抑制することができる。
【０１５０】
また、トナー容器２１Ｋ、２３のカバー２７は、容器本体２５のトナー収容空間Ｐと開口部５３を介して連通する連通空間Ｑを有する本体部６３と、本体部６３から上側に向かって延出する支持部６８と、を備え、第１レバー７１は、支持部６８の左側面に沿って移動するように支持部６８に支持され、表示部７０は、支持部６８の左側面に設けられている。このような構成を採用することで、第１レバー７１を確実に作動させることができると共に、表示部７０を見やすくなる。
【０１５１】
また、トナー容器２１Ｋ、２３の表示部７０の表面には、第１レバー７１の色彩とは異なる色彩が施されている。このような構成を採用することで、トナー容器２１Ｋ、２３の仕向地においてどのような言語が使用されているかに関わらず、トナー容器２１Ｋ、２３が廃トナー回収用途に使用されたことを共通の表示部７０によって表示することができる。そのため、トナー容器２１Ｋ、２３の製造コストを安くすることができる。
【０１５２】
また、トナー容器２１Ｋ、２３は、廃トナー回収用装着部２４へのトナー容器２１Ｋ、２３の装着を規制する第３位置から廃トナー回収用装着部２４へのトナー容器２１Ｋ、２３の装着を許容する第４位置までトナー補給用装着部２２Ｋへのトナー容器２１Ｋ、２３の装着に伴って移動する第２レバー７２を備えている。このような第２レバー７２を設けることで、前述のように、未使用のトナー容器２１Ｋ、２３が廃トナー回収用装着部２４に装着されるのを抑制することが可能となる。
【０１５３】
また、トナーコンテナ２１Ｋの容器本体２５の搬送リブ３９に設けられた複数の第１補強部４１は、装着方向Ｘに沿って延びる第１基準直線ＳＬ１に沿って設けられ、搬送リブ３９に設けられた複数の第２補強部４２は、装着方向Ｘに沿って延びる第２基準直線ＳＬ２に沿って設けられている。このような構成を採用することで、容器本体２５に螺旋状の搬送リブ３９を設けることによる容器本体２５の強度の低下を抑制することができる。
【０１５４】
また、トナーコンテナ２１Ｋの容器本体２５の第１、第２装着方向指示部４５、４６は、それぞれ第１、第２基準直線ＳＬ１、ＳＬ２に沿って設けられている。このような構成を採用することで、第１、第２装着方向指示部４５、４６を見つけやすくなり、トナー補給用装着部２２Ｋにトナーコンテナ２１Ｋを装着する作業の作業性を向上させることができる。
【０１５５】
また、トナーコンテナ２１Ｋの容器本体２５の第１、第２指置き部４３、４４は、それぞれ第１、第２基準直線ＳＬ１、ＳＬ２に沿って設けられている。このような構成を採用することで、第１、第２基準直線ＳＬ１、ＳＬ２を見つけやすくなり、トナー補給用装着部２２Ｋにトナーコンテナ２１Ｋを装着する作業の作業性を向上させることができる。
【０１５６】
また、上記の通り、トナーコンテナ２１Ｋの容器本体２５の複数の第１、第２補強部４１、４２は、それぞれ第１、第２基準直線ＳＬ１、ＳＬ２に沿って設けられ、トナーコンテナ２１Ｋの容器本体２５の第１、第２指置き部４３、４４は、それぞれ第１、第２基準直線ＳＬ１、ＳＬ２に沿って設けられている。このような構成を採用する効果について、以下に説明する。
【０１５７】
前述のようにトナーコンテナ２１Ｋをトナー補給用装着部２２Ｋに装着する際には、図２８に示されるように、ユーザーやサービスマン等の作業者が、一方の手（図示せず）で容器本体２５の取っ手部３１を把持し、他方の手ＨＡで容器本体２５の大径筒部３２を把持する可能性が高い。また、作業者の他方の手ＨＡの親指が上方から第１指置き部４３又は第２指置き部４４の一方に置かれ、作業者の他方の手ＨＡの親指以外の指（例えば、人差し指）が下方から第１指置き部４３又は第２指置き部４４の他方に置かれる可能性が高い。このような持ち方で作業者がトナーコンテナ２１Ｋを保持した場合、第１指置き部４３と第２指置き部４４は、必然的に容器本体２５の上下に配置されることになる。これに伴って、複数の第１補強部４１及び複数の第２補強部４２も容器本体２５の上下に配置されることになる。
【０１５８】
このように複数の第１補強部４１及び複数の第２補強部４２が容器本体２５の上下に配置されることで、例えば複数の第１補強部４１及び複数の第２補強部４２が容器本体２５の左右に配置されるような場合と比較して、荷重（下方向の力）に対する容器本体２５の強度を高めることが可能となる。そのため、容器本体２５のトナー収容空間Ｐに収容されたトナーの重みで容器本体２５に大きな荷重が掛かったとしても、容器本体２５が変形しにくくなる。
【０１５９】
また、トナーコンテナ２１Ｋの容器本体２５の前端部（装着方向手前側の端部）には、取っ手部３１が設けられている。このような構成を採用することで、トナーコンテナ２１Ｋをトナー補給用装着部２２Ｋに対して容易に着脱することが可能となる。
【０１６０】
また、トナーコンテナ２１Ｋの容器本体２５の取っ手部３１に設けられる筒状部３５は、前側（装着方向手前側）に向かって拡径している。このような構成を採用することで、取っ手部３１を持ちやすくなる。
【０１６１】
また、トナーコンテナ２１Ｋがトナー補給用装着部２２Ｋに装着されるのに伴って、カバー２７に設けられた凹部８７とトナー補給用装着部２２Ｋに設けられたボス１３９が係合して、トナーコンテナ２１Ｋがトナー補給用装着部２２Ｋに対して位置決めされている。このような構成を採用することで、簡易な構成を用いてトナーコンテナ２１Ｋをトナー補給用装着部２２Ｋに対して位置決めすることが可能となる。
【０１６２】
また、トナーコンテナ２１Ｋがトナー補給用装着部２２Ｋに装着されると、凹部８７とボス１３９が係合した状態でカバー２７が装着部側シャッター１３７を押圧して、装着部側シャッター１３７が閉止位置から開放位置まで移動するように構成されている。このような構成を採用することで、装着部側シャッター１３７に対するトナーコンテナ２１Ｋの位置精度を高めることが可能となる。これに伴って、トナーコンテナ２１Ｋをトナー補給用装着部２２Ｋに装着した際にトナーコンテナ２１Ｋのトナー排出口７６の位置とトナー補給用装着部２２Ｋのトナー補給口１３５の位置がずれるのを抑制することができる。
【０１６３】
また、トナーコンテナ２１Ｋのカバー２７は、容器本体２５の後端部（装着方向奥側の端部）を保持し、凹部８７は、カバー２７の後面（装着方向奥側の面）に設けられている。このような構成を採用することで、凹部８７をカバー２７から径方向外側に向かって突出させることなく、凹部８７をボス１３９に容易に係合させることが可能となる。
【０１６４】
また、トナーコンテナ２１Ｋの凹部８７及びトナー補給用装着部２２Ｋのボス１３９は、装着方向Ｘに沿って延びている。このような構成を採用することで、装着方向Ｘに沿ってトナーコンテナ２１Ｋをトナー補給用装着部２２Ｋに円滑に装着することが可能となる。
【０１６５】
また、トナーコンテナ２１Ｋのカバー２７は、トナー排出口７６を開放する開位置と、トナー排出口７６を閉止する閉位置と、の間で移動する可動片９２を備えたカバー側シャッター６７を備えている。このような構成を採用することで、凹部８７とカバー側シャッター６７が同一の部材（カバー２７）に設けられることになる。その結果、トナー補給用装着部２２Ｋに対するカバー側シャッター６７の位置精度を高めることが可能となり、カバー側シャッター６７を確実に作動させることが可能となる。
【０１６６】
また、トナーコンテナ２１Ｋのカバー２７の後面（前後方向外側の面）には、前後方向に沿って延びる凹部８７が設けられている。このような構成を採用することで、簡易な構成を用いてトナーコンテナ２１Ｋをトナー補給用装着部２２Ｋに対して位置決めすることが可能となる。
【０１６７】
以下、本実施形態に係る複合機１の変形例について更に詳細に記載する。なお、トナーコンテナ２１Ｋ、２１Ｃ、２１Ｍ、２１Ｙに共通の変形例については、トナーコンテナ２１Ｋについてのみ記載し、トナーコンテナ２１Ｃ、２１Ｍ、２１Ｙについては記載を省略する。
【０１６８】
本実施形態では、トナーコンテナ２１Ｋの容器本体２５に２個の回転規制部（第１、第２係合突起４８、４９）を設ける場合について説明した。一方で、他の異なる実施形態では、容器本体２５に回転規制部を１個だけ設けても良いし、容器本体２５に回転規制部を３個以上設けても良い。
【０１６９】
本実施形態では、トナーコンテナ２１Ｋの容器本体２５に２個の移動規制部（第１、第２突起部５１、５２）を設ける場合について説明した。一方で、他の異なる実施形態では、容器本体２５に移動規制部を１個だけ設けても良いし、容器本体２５に移動規制部を３個以上設けても良い。
【０１７０】
本実施形態では、トナーコンテナ２１Ｋの容器本体２５の第１、第２係合突起４８、４９（第１、第２回転規制部）が回転軸線Ｙ及び第１、第２基準直線ＳＬ１、ＳＬ２を含む平面Ｆ上に配置される場合について説明した。一方で、他の異なる実施形態では、トナーコンテナ２１Ｋの容器本体２５の第１、第２突起部５１、５２（第１、第２移動規制部）が回転軸線Ｙ及び第１、第２基準直線ＳＬ１、ＳＬ２を含む平面Ｆ上に配置されても良い。
【０１７１】
本実施形態では、トナーコンテナ２１Ｃ、２１Ｍ、２１Ｙの容器本体１１１の段差部１１９（移動規制部）が螺旋部１２１と平面部１２２を備えている場合について説明した。一方で、他の異なる実施形態では、トナーコンテナ２１Ｃ、２１Ｍ、２１Ｙの容器本体１１１の段差部１１９（移動規制部）が螺旋部１２１又は平面部１２２のいずれか一方のみを備えていても良い。
【０１７２】
本実施形態では、トナーコンテナ２１Ｋの伝達部材２６に設けられる伝達ギア６１の直径Ｒｇが、中径筒部３３の外径Ｒ２よりも小さく、小径筒部３４の外径Ｒ３よりも大きい場合について説明した。一方で、他の異なる実施形態では、トナーコンテナ２１Ｋの伝達部材２６に設けられる伝達ギア６１の直径Ｒｇが、容器本体２５の大径筒部３２の外径Ｒ１と略等しくても良い。
【０１７３】
本実施形態では、トナーコンテナ２１Ｋのカバー２７の上下方向の長さＬｃが、容器本体２５の大径筒部３２の外径Ｒ１及び中径筒部３３の外径Ｒ２よりも短く、容器本体２５の小径筒部３４の外径Ｒ３よりも長い場合について説明した。一方で、他の異なる実施形態では、カバー２７の上下方向の長さＬｃが、容器本体２５の大径筒部３２の外径Ｒ１と略等しくても良い。
【０１７４】
本実施形態では、トナー容器２１Ｋ、２３の第１レバー７１及び表示部７０がカバー２７に設けられる場合について説明した。一方で、他の異なる実施形態では、トナー容器２１Ｋ、２３の第１レバー７１及び表示部７０がカバー２７以外の部材に設けられていても良い。
【０１７５】
本実施形態では、トナー容器２１Ｋ、２３の表示部７０の表面に、表示部７０の周囲の全ての部材の色彩と異なる色彩が施される場合について説明した。一方で、他の異なる実施形態では、トナー容器２１Ｋ、２３の表示部７０の表面に、表示部７０の周囲の一部の部材の色彩と異なる色彩が施されていても良い。但し、トナー容器２１Ｋ、２３が廃トナー回収用途に使用されたことを確実に表示するためには、表示部７０の表面に少なくとも第１レバー７１の色彩とは異なる色彩が施されているのが好ましい。
【０１７６】
本実施形態では、トナー容器２１Ｋ、２３の表示部７０の表面に周囲の部材の色彩とは異なる色彩が施される場合について説明した。一方で、他の異なる実施形態では、トナー容器２１Ｋ、２３の表示部７０の表面に、トナー容器２１Ｋ、２３が廃トナー回収用途に使用されたことを表示する文字が記されていても良い。
【０１７７】
本実施形態では、トナーコンテナ２１Ｋの容器本体２５の搬送リブ３９に複数の第１補強部４１及び複数の第２補強部４２が設けられる場合について説明した。一方で、他の異なる実施形態では、トナーコンテナ２１Ｋの容器本体２５の搬送リブ３９に複数の第１補強部４１又は複数の第２補強部４２のいずれか一方のみが設けられていても良い。換言すると、複数の補強部は、回転軸線Ｙの両側ではなく片側のみに設けられていても良い。
【０１７８】
本実施形態では、カバー側係合部が凹部８７によって構成され、装着部側係合部がボス１３９によって構成される場合について説明した。一方で、他の異なる実施形態では、本実施形態とは逆に、カバー側係合部がボスによって構成され、装着部側係合部が凹部によって構成されていても良い。
【０１７９】
本実施形態では、トナーコンテナ２１Ｋがトナー補給用装着部２２Ｋに装着されると、カバー２７の本体部６３が装着部側シャッター１３７のボス１３９を押圧して、装着部側シャッター１３７が閉止位置から開放位置まで移動する場合について説明した。一方で、他の異なる実施形態では、トナーコンテナ２１Ｋがトナー補給用装着部２２Ｋに装着されると、カバー２７の係合筒部６５が装着部側シャッター１３７のシャッター本体１３８を押圧しても良い。このように、カバー２７のどの部分が装着部側シャッター１３７のどの部分を押圧しても構わない。
【０１８０】
本実施形態では、トナーコンテナ２１Ｋの８個のベース部８９のうちの右側の４個のベース部８９に規制板９０が設けられる場合について説明したが、前述のように、規制板９０が設けられるベース部８９の組み合わせは、トナーコンテナ２１Ｋの仕向地によって異なる。そのため、他の異なる実施形態では、例えば、８個のベース部８９のうちの左側の４個のベース部８９に規制板９０が設けられていたり、上側の４個のベース部８９に規制板９０が設けられていたりしても良い。また、他の異なる実施形態では、規制板９０の数が４個でなくても良い。このように、規制板９０が設けられるベース部８９の組み合わせや規制板９０の個数は、トナーコンテナ２１Ｋの仕向地ごとに自由に決定することができる。
【０１８１】
本実施形態では、複合機１に本発明の構成を適用する場合について説明したが、他の異なる実施形態では、プリンター、複写機、ファクシミリ等の複合機１以外の画像形成装置に本発明の構成を適用することも可能である。
【符号の説明】
【０１８２】
１  複合機（画像形成装置）
２１Ｋ、２１Ｃ、２１Ｍ、２１Ｙ  トナーコンテナ（トナー容器）
２２Ｋ、２２Ｃ、２２Ｍ、２２Ｙ  トナー補給用装着部
２５  容器本体
２６  伝達部材
２７  カバー
３９  搬送リブ
４１  複数の第１補強部
４２  複数の第２補強部
４８  第１係合突起（第１回転規制部）
４９  第２係合突起（第２回転規制部）
５１  第１突起部（第１移動規制部）
５２  第２突起部（第２移動規制部）
６１  伝達ギア
６２  係合リブ
１１１  容器本体
１１２  伝達部材
１１３  カバー
１１９  段差部（移動規制部）
１４６  駆動源
１４７  第１駆動ギア
１５１  第２駆動ギア
Ｙ  回転軸線
ＳＬ１  第１基準直線
ＳＬ２  第２基準直線
Ｆ  回転軸線及び第１、第２基準直線を含む平面
【図１】
0006524953.tif 000002
【図２】
0006524953.tif 000003
【図３】
0006524953.tif 000004
【図４】
0006524953.tif 000005
【図５】
0006524953.tif 000006
【図６】
0006524953.tif 000007
【図７】
0006524953.tif 000008
【図８】
0006524953.tif 000009
【図９】
0006524953.tif 000010
【図１０】
0006524953.tif 000011
【図１１Ａ】
0006524953.tif 000012
【図１１Ｂ】
0006524953.tif 000013
【図１２Ａ】
0006524953.tif 000014
【図１２Ｂ】
0006524953.tif 000015
【図１３】
0006524953.tif 000016
【図１４】
0006524953.tif 000017
【図１５】
0006524953.tif 000018
【図１６】
0006524953.tif 000019
【図１７】
0006524953.tif 000020
【図１８】
0006524953.tif 000021
【図１９】
0006524953.tif 000022
【図２０】
0006524953.tif 000023
【図２１】
0006524953.tif 000024
【図２２】
0006524953.tif 000025
【図２３】
0006524953.tif 000026
【図２４Ａ】
0006524953.tif 000027
【図２４Ｂ】
0006524953.tif 000028
【図２５Ａ】
0006524953.tif 000029
【図２５Ｂ】
0006524953.tif 000030
【図２６Ａ】
0006524953.tif 000031
【図２６Ｂ】
0006524953.tif 000032
【図２７Ａ】
0006524953.tif 000033
【図２７Ｂ】
0006524953.tif 000034
【図２８】
0006524953.tif 000035